(57)【要約】【課題】情報管理を適切に行なうことのできる情報処理装置を提案する。【解決手段】携帯電話機１０００に新規のデータカードが挿入されると、カード番号を割当ててカード番号を記載したテキストファイルを生成し、データカードに書込む。第２テーブルには予めカード番号とそのカードに記録するデータ種類との対応が設定されており、挿入されたデータカードのカード番号を取得すると、第２テーブルを参照して、データ保持領域に保持されているデータの中から該当するデータを抽出してデータカードに書込む。【選択図】図１５
2007183713.tif 000002
【特許請求の範囲】
【請求項１】
記録媒体を特定する情報と、前記記録媒体に記録する情報の種類を特定する情報とを対応付けて、前記対応を記憶領域に格納する手段と、
接続された記録媒体から前記記録媒体を特定する情報を読出す手段と、
前記記録媒体を特定する情報に基づいて、前記対応を参照して前記記録媒体に記録する情報の種類を特定し、記録されている情報の中から該当する情報を抽出する抽出手段と、
前記該当する情報を前記記録媒体に記録する記録手段とを備える、情報処理装置。
【請求項２】
記録媒体に対して前記記録媒体を特定する情報を書込む登録手段をさらに備える、請求項１に記載の情報処理装置。
【請求項３】
前記登録手段は、ユーザ操作に基づいて前記記録媒体を特定する情報を取得して前記記録媒体に書込む、請求項２に記載の情報処理装置。
【請求項４】
前記登録手段は、前記対応を参照して前記記録媒体を特定する情報を取得して前記記録媒体に書込む、請求項２に記載の情報処理装置。
【請求項５】
前記登録手段は、前記記録媒体を特定する情報を表わした情報を生成する生成手段をさらに備え、
前記生成手段によって生成された情報を登録する、請求項２に記載の情報処理装置。
【請求項６】
前記生成手段によって生成される前記情報はテキストファイルである、請求項５に記載の情報処理装置。
【請求項７】
前記登録手段は、前記接続された前記記録媒体に前記記録媒体を特定する情報が書込まれていないときに、前記記録媒体に前記記録媒体を特定する情報を書込む、請求項２〜６のいずれかに記載の情報処理装置。
【請求項８】
前記記録媒体に記録する情報の種類を特定する情報は、前記記録媒体に記録する情報の属性情報である、請求項１に記載の情報処理装置。
【請求項９】
前記記録媒体に記録する情報の種類を特定する情報は、前記記録媒体に記録する情報の拡張子、作成日時を特定する情報、記録された日時を特定する情報、受信した日時を特定する情報、情報名、サイズ、付加されたキーワード、作成者を特定する情報、および送信者を特定する情報の少なくとも１つである、請求項８に記載の情報処理装置。
【請求項１０】
前記記録媒体を特定する情報と、前記記録媒体に記録された情報を特定する情報とを対応付けて、前記対応を記憶領域に格納する手段をさらに備える、請求項１に記載の情報処理装置。
【請求項１１】
前記記録媒体に記録された情報を特定する情報は、前記記録媒体に記録された情報の拡張子、作成日時を特定する情報、記録された日時を特定する情報、受信した日時を特定する情報、情報名、サイズ、付加されたキーワード、作成者を特定する情報、および送信者を特定する情報の少なくとも１つである、請求項１０に記載の情報処理装置。
【請求項１２】
前記抽出手段は、当該情報処理装置に接続された第１の記録媒体に記録されている情報の中から前記該当する情報を抽出し、
前記記録手段は、前記該当する情報を第２の記録媒体に記録する、請求項１に記載の情報処理装置。
【請求項１３】
情報を記憶する記憶手段をさらに備え、
前記抽出手段は、前記記憶手段に記録されている情報の中から前記該当する情報を抽出し、
前記記録手段は、前記該当する情報を前記記録媒体に記録する、請求項１に記載の情報処理装置。
【請求項１４】
前記記録媒体に記録する情報は、当該情報処理装置において作成されたデータ、インターネットを介して他の情報処理装置から提供されたデータ、他の情報処理装置から受信したメールに添付されて取得されたデータ、またはこれらのデータの２つ以上を組合わせて作成されたデータである、請求項１に記載の情報処理装置。
【請求項１５】
情報処理装置における情報管理処理をコンピュータに実行させるプログラムであって、
前記情報処理装置に接続された記録媒体から前記記録媒体を特定する情報を読出すステップと、
記録媒体を特定する情報と、前記記録媒体に記録する情報の種類を特定する情報との対応を記憶する記憶領域にアクセスするステップと、
前記記録媒体を特定する情報に基づいて、前記対応を参照して前記記録媒体に記録する情報の種類を特定し、記録されている情報の中から該当する情報を抽出する抽出ステップと、
前記該当する情報を前記記録媒体に記録する記録ステップとを実行させる、情報管理プログラム。
【請求項１６】
記録媒体に対して前記記録媒体を特定する情報を書込む登録ステップをさらに実行させる、請求項１５に記載の情報管理プログラム。
【請求項１７】
前記登録ステップは、ユーザ操作に基づいて前記記録媒体を特定する情報を取得する取得ステップを含み、
前記登録ステップでは、前記取得ステップにおいて取得された情報を登録する、請求項１６に記載の情報管理プログラム。
【請求項１８】
前記登録ステップは、前記対応を参照して前記記録媒体を特定する情報を取得する取得ステップを含み、
前記登録ステップでは、前記取得ステップにおいて取得された情報を登録する、請求項１６に記載の情報管理プログラム。
【請求項１９】
前記登録ステップは、前記記録媒体を特定する情報を表わした情報を生成する生成ステップを含み、
前記登録ステップでは、前記生成ステップにおいて生成された情報を登録する、請求項１６に記載の情報管理プログラム。
【請求項２０】
前記生成ステップにおいて生成される前記情報はテキストファイルである、請求項１９に記載の情報管理プログラム。
【請求項２１】
前記登録ステップにおいては、前記情報処理装置に接続された前記記録媒体に前記記録媒体を特定する情報が書込まれていないときに、前記記録媒体に前記記録媒体を特定する情報を書込む、請求項１９〜２０のいずれかに記載の情報管理プログラム。
【請求項２２】
前記記録媒体に記録する情報の種類を特定する情報は、前記記録媒体に記録する情報の属性情報である、請求項１５に記載の情報管理プログラム。
【請求項２３】
前記記録媒体に記録する情報の種類を特定する情報は、前記記録媒体に記録する情報の拡張子、作成日時を特定する情報、記録された日時を特定する情報、受信した日時を特定する情報、情報名、サイズ、付加されたキーワード、作成者を特定する情報、および送信者を特定する情報の少なくとも１つである、請求項２２に記載の情報管理プログラム。
【請求項２４】
前記記録媒体を特定する情報と、前記記録媒体に記録された情報を特定する情報とを対応付けて、前記対応を記憶領域に格納するステップをさらに実行させる、請求項１５に記載の情報管理プログラム。
【請求項２５】
前記記録媒体に記録された情報を特定する情報は、前記記録媒体に記録された情報の拡張子、作成日時を特定する情報、記録された日時を特定する情報、受信した日時を特定する情報、情報名、サイズ、付加されたキーワード、作成者を特定する情報、および送信者を特定する情報の少なくとも１つである、請求項２４に記載の情報管理プログラム。
【請求項２６】
前記抽出ステップにおいては、前記情報処理装置に接続された第１の記録媒体に記録されている情報の中から前記該当する情報を抽出し、
前記記録ステップにおいては、前記該当する情報を第２の記録媒体に記録する、請求項１５に記載の情報管理プログラム。
【請求項２７】
前記抽出ステップにおいては、前記情報処理装置に備えられる記憶手段に記録されている情報の中から前記該当する情報を抽出し、
前記記録ステップにおいては、前記該当する情報を前記記録媒体に記録する、請求項１５に記載の情報管理プログラム。
【請求項２８】
前記記録媒体に記録する情報は、前記情報処理装置において作成されたデータ、インターネットを介して他の情報処理装置から提供されたデータ、他の情報処理装置から受信したメールに添付されて取得されたデータ、またはこれらのデータの２つ以上を組合わせて作成されたデータである、請求項１５に記載の情報管理プログラム。
【発明の詳細な説明】
【技術分野】
【０００１】
この発明は情報処理装置および情報管理プログラムに関し、特に、情報管理を適切に行なうことのできる情報処理装置および情報管理プログラムに関する。
【背景技術】
【０００２】
携帯電話機やノート型パーソナルコンピュータ等の情報処理装置の処理能力が向上されるに伴って取り扱う情報の数やサイズが大きくなり、ユーザが保存したいと思う情報の情報の数やサイズも大きくなってきている。そこで、情報処理装置に情報を記録する場合、情報を整理するために他の記録媒体に情報を移し変えて記録させることがなされている。また、情報処理装置に内蔵される記録装置の容量以上の情報を記録させる場合や、記録した情報を整理するために、情報処理装置から外部記録媒体に情報を記録させることがなされている。
【０００３】
以下の特許文献１は、データファイルをサーバに保存する際に、ファイル種別に対応した領域に保存するなど、ファイル種別に対応した所定の処理ルールに従って保存する電子機器を開示している。
【０００４】
また、以下の特許文献２は、データファイルとそのデータファイルを作成したアプリケーションプログラムを特定する識別情報とを対応付けて記憶し、そのデータファイルを読出す際に、対応する識別情報で特定されるアプリケーションプログラムを起動し、指定されたデータファイルをそのアプリケーションプログラムにより読出す情報処理方法を開示している。
【特許文献１】特開２００５−６３１８９号公報
【特許文献２】特開平６−１３１２２８号公報
【発明の開示】
【発明が解決しようとする課題】
【０００５】
情報処理装置から他の記録媒体に情報を記録させるときに、情報を複数の外部記録媒体や記憶装置の複数の記憶領域など、複数の記録媒体に適宜振分けて記録させる場合がある。上記特許文献１および特許文献２に記載の技術を用いてこのように複数の記録媒体に情報を記録させる場合、先だって情報を記録させる記録媒体を選んで情報処理装置に接続させる必要があり、情報を記録させるための操作が煩雑になる問題がある。
【０００６】
さらに、記録させた情報を後から再生する際にどの記録媒体にどの情報が記録されているかが分かりにくく、必要な情報を取得するための操作が煩雑になる問題がある。実際には、記録媒体の表面に記録させたデータを筆記用具で表記したり、記録させたデータの一覧情報を作成したりして管理する方法もなされているが、そのような管理方法は面倒であるという問題がある。また、昨今は情報処理装置の小型化に伴って記録媒体も小型化しており、筆記用具でその表面に表記することが困難になってきているという問題もある。
【０００７】
本発明はこのような問題に鑑みてなされたものであって、情報の記録や、記録された情報の取得が容易にできるように、記録媒体に適切に情報を記録させることのできる情報処理装置および情報管理プログラムを提供することを目的とする。
【課題を解決するための手段】
【０００８】
上記目的を達成するために、本発明のある局面に従うと、情報処理装置は、記録媒体を特定する情報と、記録媒体に記録する情報の種類を特定する情報とを対応付けて、その対応を記憶領域に格納する手段と、接続された記録媒体からその記録媒体を特定する情報を読出す手段と、記録媒体を特定する情報に基づいて、上記対応を参照してその記録媒体に記録する情報の種類を特定し、記録されている情報の中から該当する情報を抽出する抽出手段と、抽出された該当する情報をその記録媒体に記録する記録手段とを備える。
【０００９】
また、情報処理装置は、記録媒体に対して記録媒体を特定する情報を書込む登録手段をさらに備えることが好ましい。
【００１０】
さらに、登録手段は、ユーザ操作に基づいて記録媒体を特定する情報を取得して記録媒体に書込むことがより好ましい。
【００１１】
または、登録手段は、上記対応を参照して記録媒体を特定する情報を取得して記録媒体に書込むことが好ましい。
【００１２】
また、登録手段は、記録媒体を特定する情報を表わした情報を生成する生成手段をさらに備え、生成手段によって生成された情報を登録することが好ましい。なお、上記生成手段によって生成される情報は、具体的にはテキストファイルであることがより好ましい。
【００１３】
さらに、登録手段は、接続された記録媒体にその記録媒体を特定する情報が書込まれていないときに、その記録媒体に当該記録媒体を特定する情報を書込むことが好ましい。なお、記録媒体に記録する情報の種類を特定する情報は、記録媒体に記録する情報の属性情報であることが好ましい。より詳しくは、記録媒体に記録する情報の種類を特定する情報は、その情報の拡張子、作成日時を特定する情報、記録された日時を特定する情報、受信した日時を特定する情報、情報名、サイズ、付加されたキーワード、作成者を特定する情報、および送信者を特定する情報の少なくとも１つであることが好ましい。
【００１４】
また、情報処理装置は、記録媒体を特定する情報と、その記録媒体に記録された情報を特定する情報とを対応付けて、その対応を記憶領域に格納する手段をさらに備えることが好ましい。なお、記録媒体に記録された情報を特定する情報は、具体的には記録媒体に記録された情報の拡張子、作成日時を特定する情報、記録された日時を特定する情報、受信した日時を特定する情報、情報名、サイズ、付加されたキーワード、作成者を特定する情報、および送信者を特定する情報の少なくとも１つであることが好ましい。
【００１５】
また、抽出手段は、当該情報処理装置に接続された第１の記録媒体に記録されている情報の中から該当する情報を抽出し、記録手段は、抽出された情報を第２の記録媒体に記録することが好ましい。
【００１６】
または、情報処理装置は情報を記憶する記憶手段をさらに備え、抽出手段は、その記憶手段に記録されている情報の中から該当する情報を抽出し、記録手段は、抽出された情報を記録媒体に記録することが好ましい。
【００１７】
なお、記録媒体に記録する情報は、当該情報処理装置において作成されたデータ、インターネットを介して他の情報処理装置から提供されたデータ、他の情報処理装置から受信したメールに添付されて取得されたデータ、またはこれらのデータの２つ以上を組合わせて作成されたデータであることが好ましい。
【００１８】
本発明の他の局面に従うと、情報管理プログラムは、情報処理装置における情報管理処理をコンピュータに実行させるプログラムであって、情報処理装置に接続された記録媒体から記録媒体を特定する情報を読出すステップと、記録媒体を特定する情報と、その記録媒体に記録する情報の種類を特定する情報との対応を記憶する記憶領域にアクセスするステップと、記録媒体を特定する情報に基づいて、その対応を参照してその記録媒体に記録する情報の種類を特定し、記録されている情報の中から該当する情報を抽出する抽出ステップと、抽出された該当する情報をその記録媒体に記録する記録ステップとを実行させる。
【００１９】
また、情報管理プログラムは、記録媒体に対して記録媒体を特定する情報を書込む登録ステップをさらに実行させることが好ましい。
【００２０】
さらに、登録ステップは、ユーザ操作に基づいて記録媒体を特定する情報を取得する取得ステップを含み、登録ステップでは、取得ステップにおいて取得された情報を登録することが好ましい。
【００２１】
または、登録ステップは、上記対応を参照して記録媒体を特定する情報を取得する取得ステップを含み、登録ステップでは、取得ステップにおいて取得された情報を登録することが好ましい。
【００２２】
また、登録ステップは、記録媒体を特定する情報を表わした情報を生成する生成ステップを含み、登録ステップでは、生成ステップにおいて生成された情報を登録することが好ましいなお、上記生成ステップにおいて生成される情報はテキストファイルであることがより好ましい。
【００２３】
さらに、登録ステップにおいては、情報処理装置に接続された記録媒体にその記録媒体を特定する情報が書込まれていないときに、その記録媒体に当該記録媒体を特定する情報を書込むことが好ましい。なお、記録媒体に記録する情報の種類を特定する情報は、記録媒体に記録する情報の属性情報であることが好ましい。より詳しくは、記録媒体に記録する情報の種類を特定する情報は、前記記録媒体に記録する情報の拡張子、作成日時を特定する情報、記録された日時を特定する情報、受信した日時を特定する情報、情報名、サイズ、付加されたキーワード、作成者を特定する情報、および送信者を特定する情報の少なくとも１つであることが好ましい。
【００２４】
また、情報仮管理プログラムは、記録媒体を特定する情報と、その記録媒体に記録された情報を特定する情報とを対応付けて、その対応を記憶領域に格納するステップをさらに実行させることが好ましい。なお、記録媒体に記録された情報を特定する情報は、具体的には記録媒体に記録された情報の拡張子、作成日時を特定する情報、記録された日時を特定する情報、受信した日時を特定する情報、情報名、サイズ、付加されたキーワード、作成者を特定する情報、および送信者を特定する情報の少なくとも１つであることが好ましい。
【００２５】
また、抽出ステップにおいては、情報処理装置に接続された第１の記録媒体に記録されている情報の中から該当する情報を抽出し、記録ステップにおいては、抽出された情報を第２の記録媒体に記録することが好ましい。
【００２６】
または、抽出ステップにおいては、情報処理装置に備えられる記憶手段に記録されている情報の中から該当する情報を抽出し、記録ステップにおいては、抽出された情報を記録媒体に記録することが好ましい。
【００２７】
なお、記録媒体に記録する情報は、情報処理装置において作成されたデータ、インターネットを介して他の情報処理装置から提供されたデータ、他の情報処理装置から受信したメールに添付されて取得されたデータ、またはこれらのデータの２つ以上を組合わせて作成されたデータであることが好ましい。
【発明の効果】
【００２８】
本発明にかかる情報処理装置において情報管理処理が実行されることで、接続された記録媒体が自動的に識別され、予め設定された対応に従って適切に情報が記録媒体に対応付けられて記録される。これによって、ユーザは情報の記録を容易に行なうことができる。
【００２９】
また、本発明にかかる情報処理装置においては、記録された情報と記録媒体との対応が記憶されることで、記録媒体に記録された情報の一覧を表示させることができる。これによって、ユーザは、記録媒体に記録されている情報を把握することができ、必要な情報を容易に取得することができる。さらに、記録された情報と記録媒体との対応が情報処理装置自身や所定の記録媒体に記憶されることで、各記録媒体を情報処理装置に接続することなく記録媒体に記録されている情報を把握することができ、より容易に必要な情報を取得することができる。
【発明を実施するための最良の形態】
【００３０】
以下に、図面を参照しつつ、本発明の実施の形態について説明する。以下の説明では、同一の部品および構成要素には同一の符号を付してある。それらの名称および機能も同じである。
【００３１】
本発明にかかる情報処理装置の一例として、本実施の形態にかかる情報処理装置はクラムシェルタイプ携帯電話機であるものとする。なお、本発明かかる情報処理装置は携帯電話機に限定されず、たとえば、ＰＤＡ（Personal Digital Assistance）、パーソナルコンピュータ、ノート型パーソナルコンピュータ、携帯型モバイル装置、電子辞書等であってもよい。
【００３２】
図１〜図３は、本実施の形態にかかる携帯電話機１０００の外観の具体例を示す図であり、図１は開いた状態の携帯電話機１０００を閉じた状態で内に畳まれる側（この側を正面とする）から示した図、図２は閉じた状態の携帯電話機１０００の斜視図、および図３は閉じた状態の携帯電話機１０００の背面を示した図である。
【００３３】
図１を参照して、携帯電話機１０００は、連結部５０により折畳み可能に接合された、第１筐体１００と第２筐体２００とを含んで構成される。
【００３４】
第１筐体１００の正面には、メイン表示部１１０Ａと、スピーカ１５０とが配備される。メイン表示部１１０Ａは、液晶ディスプレイ（ＬＣＤ（Liquid Crystal Display））、ＦＥＤ（Field Emission Display）、有機ＥＬディスプレイ（Organic Electro luminescence Display）、ドットマトリクス等その他の画像表示方式の表示機器のいずれであってもよい。
【００３５】
第２筐体２００の正面には、入力手段に該当する、機能ボタン群２３０と、入力ボタン群２４０と、マイク２６０とが配備される。
【００３６】
機能ボタン群２３０には、携帯電話機１０００の各種設定、機能切替等を行なうための、機能ボタン２３１，２３２と、受話ボタン２３３と、ボタン２３４と、マルチガイドボタン２３５とが含まれる。
【００３７】
さらに具体的には、機能ボタン２３１は、短時間（たとえば、０．５秒未満）押下操作（以下、短押操作）されることでネットワーク関連等のプログラムを起動させるためのボタンである。また、機能ボタン２３１は、長時間（たとえば、１秒以上）押下操作（以下、長押操作）されることでデジタルカメラのプログラムを起動させるためのボタンである。
【００３８】
また、機能ボタン２３２は、短押操作されることで電子メールのプログラムを起動させるためのボタンである。また、携帯電話機１０００は、音楽を聴取可能なモードである音楽モードと、ラジオを聴取可能なモードであるラジオモードと、テレビを視聴可能なモードであるテレビモードと、上記いずれのモードでもないときの通常モードとを有し、機能ボタン２３２は、長押操作されることでモードを切替えるためのボタンである。
【００３９】
また、受話ボタン２３３は、短押操作されることで通話開始を行なうためのボタンである。
【００４０】
また、ボタン２３４は、携帯電話機１０００が通話中である場合、短押操作により通話を保留状態にするためのボタンである。また、ボタン２３４は、長押操作により、携帯電話機１０００の電源のオンとオフとの切替を行なうためのボタンである。
【００４１】
マルチガイドボタン２３５は、４方向ボタンと、決定ボタンとを含む。４方向ボタンは、短押操作により、メイン表示部１１０Ａに画像が表示されている場合、画像内の移動させる対象となる物（たとえば、カーソル等）を上下左右に移動させるためのボタンである。決定ボタンは、短押操作により、たとえば、４方向ボタンの短押操作により選択された項目等を決定するためのボタンである。
【００４２】
入力ボタン群２４０は、短押操作により、数字、文字および記号等を入力するための複数のボタンから構成される。
【００４３】
図２を参照して、第１筐体１００の背面には、サブ表示部１１０Ｂと、サブ操作ボタン群１３０と、ＬＥＤ（Light Emitting Diode）１４０と、スピーカ１５２とが配備される。また、第２筐体２００の側面には、サイドボタン１３２と、記録媒体挿入部１８０とが配備される。
【００４４】
サブ表示部１１０Ｂは、メイン表示部１１０Ａと同様の表示機器である。サブ表示部１１０Ｂの解像度は、メイン表示部１１０Ａの解像度よりも低い。なお、サブ表示部１１０Ｂの解像度は、メイン表示部１１０Ａの解像度以上であってもよい。
【００４５】
なお、携帯電話機１０００は、メイン表示部１１０Ａおよびサブ表示部１１０Ｂのいずれか一方のみを備える構成であってもよい。
【００４６】
サブ操作ボタン群１３０には、ボタン１３０Ａ，１３０Ｂ，１３０Ｃ，１３０Ｄが含まれる。また、サイドボタン１３２には、アップボタン１３２Ａと、ダウンボタン１３２Ｂとが含まれる。これらのボタンは、携帯電話機１０００が閉じた状態であっても操作可能なボタンであって、音楽データの再生の開始／中断／終了／変更、サブ表示部１１０Ｂの表示の移動／変更、音声の音量の調節などをさせるためのボタンである。
【００４７】
ＬＥＤ１４０は、携帯電話機１０００で行なわれる処理に応じて、光による報知を行なう。たとえば、ＬＥＤ１４０は、電話の着信があった場合、光を点滅させる。
【００４８】
記録媒体挿入部１８０は、携帯電話機１０００に後述する記録媒体を挿入する部分である。
【００４９】
図３を参照して、第２筐体２００の背面には、撮像部２７０と、発光部２７２とが配備される。
【００５０】
撮像部２７０は、撮像レンズと、受光部と、カラーフィルタ部とを含み、被写体を撮像する撮像処理を行なう。発光部２７２は、撮像部２７０が撮像するときに、必要に応じて、光を発する。
【００５１】
図４は、携帯電話機１０００の内部構成を示したブロック図である。図４を参照して、携帯電話機１０００は、上記構成に加えて、通信部３１０と、チューナ３２０と、記憶部３３０と、一時記憶部３３２と、記録媒体アクセス部３３４と、記録媒体７０と、制御部３４０と、音声処理部３５０と、振動部３７０とを備える。
【００５２】
記憶部３３０には、制御部３４０で実行されるプログラムおよびデータ等が記憶されている。制御部３４０で実行されるプログラムは、たとえば、制御プログラム、画像処理プログラム、音楽再生プログラム、ラジオプログラム、テレビプログラム、電子メールプログラム、ゲームプログラム、ＷＥＢブラウザプログラム、動画再生プログラム等である。これらのプログラムは、アプリケーションプログラムともいわれる。なお、アプリケーションプログラムは、上記プログラムのみに限定されることはない。
【００５３】
制御部３４０は、記憶部３３０にアクセスし、必要なデータを取得する。記憶部３３０には、電気的にデータの読書可能な媒体（たとえばＲＡＭ（Random Access Memory））や、電源を供給されなくてもデータを不揮発的に保持可能な媒体（たとえば、フラッシュメモリ）が含まれる。
【００５４】
さらに、上述の不揮発的にデータを保持可能な媒体には、以降に説明する情報管理処理に必要な第１テーブルおよび第２テーブルを保持するテーブル保持領域と、処理対象となるデータを保持するデータ保持領域とが含まれる。
【００５５】
上記第１テーブルは処理対象となるデータを記録媒体に振分けるために用いられる、データの種類を特定する情報であるパラメータと、データの種類との対応を規定する。データの種類を特定する情報であるパラメータとしては、データの属性情報が用いられることが好ましく、より具体的には、データの拡張子、作成日時を特定する情報、取得（受信）日時を特定する情報、データ名、データに付加されたキーワード、作成者を特定する情報、データサイズ、データの送信者を特定する情報などが用いられる。また、これらの属性が組合わされて用いられてもよい。データの種類としては、上述のように音楽データ、画像データ、動画データ、およびテキストデータなどが挙げられる。
【００５６】
上記第２テーブルは、携帯電話機１０００によって記録媒体に割当てられた識別子と、記録媒体に振分けられるデータの種類と、記録媒体に記録されたデータを特定する情報との対応を規定する。携帯電話機１０００において記録媒体の識別子を定める処理については後述する。データを特定する情報としては、データのいわゆるインデックスが用いられることが好ましく、より具体的には、データの拡張子、作成日時を特定する情報、取得（受信）日時を特定する情報、データ名、データに付加されたキーワード、作成者を特定する情報、データサイズ、データの送信者を特定する情報などが用いられる。また、これらのインデックスが組合わされて用いられてもよい。
【００５７】
制御部３４０は、記憶部３３０に記憶されたプログラムや、基地局またはインターネットなどの外部のネットワークからダウンロードしたプログラムに従って、携帯電話機１０００内の各部に対する各種処理や、演算処理等を行なう。制御部３４０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。このダウンロード用プログラムは、予め、記憶部３３０に格納されており、ダウンロード処理は、制御部３４０が、ダウンロード用プログラムに基づいて行なう。
【００５８】
制御部３４０は、機能ボタン群２３０、入力ボタン群２４０、サブボタン群１３０、およびサイドボタン１３２から、操作に対応するボタン信号を受信し、受信したボタン信号に応じた処理を行なう。
【００５９】
通信部３１０は、無線通信により電波の送受信処理を行なう。電波は、無線通信用電波と、放送信号電波とに分類される。無線通信用電波は、音声データ、文字データおよび画像データ等を含む電波である。放送信号電波は、さらに、テレビジョン信号と、ラジオ信号とに分類される。なお、通信部３１０は、電波が放送信号電波の場合は、受信処理のみ行なう。
【００６０】
通信部３１０は、無線通信用電波により基地局と通信を行なう。通信部３１０は、無線通信用電波を受信した場合、当該無線通信用電波を復調し、復調した無線通信用電波に基づくデータを、制御部３４０へ出力する。また、通信部３１０は、無線通信用電波を送信する場合、制御部３４０からデータ（たとえば、音声データ）を受取り、当該データを、所定のプロトコルに基づいて、無線通信用電波に変換する。そして、通信部３１０は、変換した無線通信用電波を、送信先となる基地局へ送信する。
【００６１】
また、通信部３１０は、無線データ通信機能を有する。無線データ通信機能は、ブルートゥース（Bluetooth）（Ｒ）等の通信方式を使用して、無線でデータ通信を行なう機能である。通信部３１０は、制御部３４０からの制御指示に応じて、他の端末と無線でデータ通信を行なう。なお、無線データ通信は、ブルートゥースに限定されることなく、他の通信方式を使用してもよい。
【００６２】
また、通信部３１０は、テレビジョン信号である放送信号電波を受信した場合、放送信号電波を、チューナ３２０へ送信する。チューナ３２０は、テレビジョン信号である放送信号電波を受信した場合、制御部３４０により指示された、チャンネルの信号をデジタルデータ（以下、テレビジョンデータともいう）に変換して、制御部３４０へ送信する。変換されたテレビジョンデータには、画像データと、音声データとが含まれる。同様にして得られるラジオ信号には、音声データが含まれる。画像データに基づく画像はメイン表示部１１０Ａに表示され、音声データに基づく音声は音声処理部３５０で処理されてスピーカ１５２から出力される。
【００６３】
一時記憶部３３２は、データを一時的に記憶する。一時記憶部３３２は、制御部３４０においてプログラムが実行される際のワークメモリとして動作する。一時記憶部３３２は、ＲＡＭ、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００６４】
記録媒体７０は、携帯電話機１０００に対して着脱可能に接続、あるいは媒体または有線／無線によって接続されて、データの受渡しが可能な記録媒体である。具体的な記録媒体７０としては、ＳＤ（Secure Digital）メモリカード、ミニＳＤカード（Ｒ）、ＣＦ（Compact Flash）カード、ＳＭ（Smart Media（登録商標））、ＭＭＣ（Multi Media Card）、メモリスティック（Ｒ）、スマートメディア（Ｒ）、ｘＤピクチャカードおよびＵＳＢメモリ、その他不揮発性メモリのいずれであってもよい。また、情報処理装置が携帯電話機１０００以外の装置である場合には、その装置に応じて、コンパクトフラッシュ（登録商標）、フレキシブルディスク、コンパクトディスク（Ｒ）、ＣＤ−Ｒ（Compact Disk Recordable）、ＣＤ−ＲＷ（Compact Disk ReWritable）、ＤＶＤ−Ｒ（Recordable）、ＤＶＤ−ＲＷ（Digital Versatile Disk ReWritable）などであってもよい。記録媒体７０に上述のプログラムやコンテンツ等が記録されている場合、記録されているプログラムやコンテンツは、媒体等に記録されて流通される。また、記録媒体７０も流通される。
【００６５】
記録媒体７０が、前述の記録媒体挿入部１８０から携帯電話機１０００に挿入（装着）され、直接または有線／無線によって接続されると、記録媒体アクセス部３３４は、記録媒体７０にデータアクセス可能となる。記録媒体アクセス部３３４は制御部３４０の制御指示に応じて記録媒体７０にアクセスし、プログラム等の必要な情報を読出す。また、記録媒体アクセス部３３４は、以降に説明する処理に伴う制御部３４０の制御指示に応じて、記録媒体７０にアクセスして必要な情報を書込む。
【００６６】
音声処理部３５０は、デジタルデータである音声データ（以下、デジタル音声データともいう）をアナログ信号に変換する処理および音声データを含むアナログ信号（以下、アナログ音声信号ともいう）をデジタル音声データに変換する処理等を行なう。
【００６７】
音声処理部３５０は、制御部３４０からの制御指示に基づいて、制御部３４０から受取ったデジタル音声データをアナログ音声信号に変換し、スピーカから出力させる。
【００６８】
また、音声処理部３５０は、マイク２６０から、入力された音声に応じたアナログ音声信号を受信してデジタル音声データに変換し、制御部３４０に入力する。
【００６９】
メイン表示部１１０Ａおよびサブ表示部１１０Ｂは、制御部３４０からの制御指示に基づいて、制御部３４０から受取った画像データに基づく画像を表示する。
【００７０】
ＬＥＤ１４０は、制御部３４０からの制御指示に基づいて、光を発する。
撮像部２７０は、制御部３４０からの制御指示に基づいて撮像処理を行ない、撮像画像データを制御部３４０に入力する。制御部３４０は、撮像部２７０から受取った撮像画像データを記憶部３３０または記録媒体７０に記憶させる。
【００７１】
振動部３７０は、たとえば、電話の着信、電子メールの受信時に、制御部３４０からの制御指示に基づいて、携帯電話機１０００を振動させる。
【００７２】
本実施の形態にかかる携帯電話機１０００では、以降に説明する情報管理処理に先だって、処理対象のデータを記録媒体（以下、データカードと称する）への振分け方法の設定を行なう。
【００７３】
図５は、振分け方法を設定する画面の第１の具体例を示す図である。第１の具体例においては、データカードに記録させるデータの種類を特定する情報としてデータの拡張子をパラメータとして、データをデータカードに振分けるものとする。そこで、図５に示されるように、第１の具体例においては、データカードに記録させるデータの拡張子と、記録させるデータカードの識別子であるカード番号とを設定する。たとえば、図５に示される具体例においては、データの種類として音楽データを設定する際、データの種類を特定する情報として、音楽データの拡張子であるｍｍｆやａａｃ、画像データの拡張子であるｊｐｇやｂｍｐ、動画データの拡張子であるｍｐｇ２が指定されている。
【００７４】
制御部３４０は、設定画面においてデータカードと、そのデータカードに記録させるデータの種類に応じた拡張子との設定を受付けると、記憶部３３０のテーブル保持領域に保持されている上記第１テーブルを参照してデータの種類を特定し、第２テーブルにデータカードと記録させるデータの種類との対応を書込む。
【００７５】
図６は、振分け方法を設定する画面の第２の具体例を示す図である。第２の具体例においては、データカードに記録させるデータの種類を特定する情報としてデータが記録された日時をパラメータとして、データをデータカードに振分けるものとする。そこで、図６に示されるように、第２の具体例においては、データカードに記録させるデータの記録された日時の範囲と、記録させるデータカードの識別子であるカード番号とを設定する。図６に示される具体例においては、一般的にデータに属性情報として含まれているデータが記録された日時が指定範囲内にあるデータを指定したデータカードに記録させるように設定されているが、パラメータとして用いられる日時は、属性情報として含まれているデータの作成日時であってもよいし、たとえばメールに添付して送信されて取得したデータに送信日時や受信日時などの情報が属性情報に含まれる場合、送信日時や受信日時であってもよい。
【００７６】
図７は、振分け方法を設定する画面の第３の具体例を示す図である。第３の具体例においては、データカードにフォルダを作成し、そのフォルダに記録させるデータの拡張子をパラメータとして、データをデータカードに含まれるフォルダに振分けるものとする。データカードに記録させるデータの拡張子をパラメータとしてデータをデータカードに振分けるものとする。そこで、図７に示されるように、第３の具体例においては、データカードに記録させるデータの拡張子と、記録させるデータカードに含まれるフォルダを識別する情報（たとえばフォルダ名）とを設定する。なお、図７には表わされていないが、設定画面において、フォルダを設定するのに先だって、データカードの識別子であるカード番号を設定するものとする。
【００７７】
上記第２の具体例および第３の具体例においても、制御部３４０は、設定画面においてデータカード（または含まれるフォルダ）と、記録させるデータの種類を特定する情報との設定を受付けると、記憶部３３０のテーブル保持領域に保持されている上記第２テーブルにその対応を書込む。
【００７８】
図８は、メニュー画面の具体例を示す図である。図８に示されるメニュー画面は、たとえばマルチガイドボタン２３５などが押されて表示されるメインメニュー画面においてデータ管理関連の親メニューが選択されたときに子メニューとしてメイン表示部１１０Ａなどに表示される画面であり、データに関する各種設定や操作を実行させるための画面である。図８に示されるメニュー画面においてデータをデータカードにコピーする操作（図８では「データコピー」）が選択されることで、本実施の形態にかかる携帯電話機１０００において、以下の情報管理処理が開始される。
【００７９】
図９は、本実施の形態にかかる携帯電話機１０００において実行される情報管理処理の流れを示すフローチャートである。図９のフローチャートに示される処理は、主に、制御部３４０が記憶部３３０に記憶されたプログラム等を実行し、図４の各部を制御することによってソフトウェアで実現されてもよいし、一部は図４に示されたハードウェアで実現されてもよい。
【００８０】
図９に示される情報管理処理では、記憶部３３０のデータ保持領域に保持されているデータをデータカードにコピーするものとする。なお、処理対象のデータは携帯電話機１０００において取扱い可能なデータであればいかなるデータであってもよく、具体的には、携帯電話機１０００の撮像部２７０によって撮影されることで作成された画像データ、マイク２６０から入力された音声に基づいて作成された音声データ、入力ボタン群２４０などの入力手段での操作に基づいて作成されたテキストデータ、所定のアプリケーションを実行させることで作成されたデータ、インターネットを介してサーバから提供されたデータ、他の携帯電話機などから受信したメールに添付されて取得されたデータ、およびこれらのデータの２つまたはそれ以上を組合わせて作成されたデータ、などが該当する。
【００８１】
図９を参照して、データをデータカードにコピーする操作が選択されて情報管理処理が開始されると、制御部３４０は、たとえば図１０に示されるようなデータ指定画面をメイン表示部１１０Ａなどに表示させ、機能ボタン群２３０などの入力手段において、処理対象とするデータの指定を受付ける（ステップＳ１０１）。本処理では、記憶部３３０のデータ保持領域に保持されているデータをデータカードにコピーするものとするので、ステップＳ１０１で制御部３４０は、記憶部３３０のデータ保持領域を参照し、保持されているデータを選択可能に提示する。なお、先述のように、記録された日時や作成日時や受信した日時によってデータを管理する場合には、図１１に示されたように、記憶部３３０のデータ保持領域に保持されているデータを、記録された日時や作成日時や受信した日時ごとに選択可能に提示してもよい。
【００８２】
次に、記録媒体アクセス部３３４によって記録媒体７０であるデータカードから読出された情報に基づいて、記録媒体挿入部１８０よりデータカードが挿入されたか否かを判断し（ステップＳ１０３）、データカードが挿入されている場合には（ステップＳ１３でＹＥＳ）、さらに、そのデータカードが今までに当該携帯電話機１０００で処理されたことのあるデータカードであるか新規のデータカードであるかを判断する（ステップＳ１０５）。ステップＳ１０５で制御部３４０は、記録媒体アクセス部３３４によってデータカードから読出された情報に、以降に説明するカード番号ファイルが含まれているか否かによって、新規のデータカードであるか否かを判断する。そして、挿入されているデータカードが新規のデータカードであると判断された場合には（ステップＳ１０５でＹＥＳ）、そのデータカードを登録するためのカード登録処理を実行する（ステップＳ１０７）。そうでない場合には、ステップＳ１０７の処理をスキップする。
【００８３】
その後、制御部３４０は、記憶部３３０のテーブル保持領域に保持されている第２テーブルを参照して、先に設定された振分け方法に従って、ステップＳ１０１で指定されたデータを所定のデータカードに記録するデータ記録処理を実行し（ステップＳ１０９）、一連の情報管理処理を終了する。
【００８４】
なお、図９のフローチャートには示されていないものの、制御部３４０は、図９に示される各処理（ステップＳ１０１，Ｓ１０７，Ｓ１０９）に先だって次の処理を実行するか否かを選択する画面をメイン画面１１０Ａなどに表示させてユーザ操作を受付け、その操作に基づいて次の処理を実行するか、一連の情報管理処理を終了するかを決定するようにしてもよい。以降に説明するカード登録処理、データ記録処理においても同様である。
【００８５】
図１２は、上記ステップＳ１０７でのカード登録処理を示すフローチャートである。
上記ステップＳ１０５にて新規のデータカードが挿入されていることが検出されると、制御部３４０は、たとえば図１３に示されるような登録画面をメイン表示部１１０Ａなどに表示させ、機能ボタン群２３０などの入力手段において、データカードの登録に必要な情報の入力を受付ける。
【００８６】
カード登録処理としては、たとえば図１３に示されたようにユーザ指定に基づいて実行されるマニュアル設定と、自動的に上記第２テーブルなどを参照して実行されるオート設定とがあるものとし、始めに、登録画面によって、いずれの設定を行なうか否かを受付ける。
【００８７】
マニュアル設定を行なうものと指定された場合（ステップＳ２０１で「マニュアル設定」）、続いて登録画面において、新規のデータカードに割当てるデータカードの識別子であるカード番号の入力を受付ける（ステップＳ２０３）。制御部３４０は記憶部３３０のテーブル保持領域に保持されている第２テーブルを参照して、ステップＳ２０３で受付けたカード番号がすでに割当てられている番号であるか否かを確認し、そのカード番号が登録可能な番号であるか否かを判断する（ステップＳ２０５）。すでに他のデータカードに割当てられて登録不可能であると判断された場合には（ステップＳ２０５でＮＯ）、図示しないメッセージを表示させるなどして番号を再入力するかすでに割当てられたカード番号に対して上書きするかの指定を受付けて（ステップＳ２０７）、再入力する場合（ステップＳ２０７で「再入力」）には上記ステップＳ２０３に処理を戻す。上書きする場合（ステップＳ２０７で「上書き」）にはステップＳ２１１に処理を進める。
【００８８】
一方、上記ステップＳ２０１でオート設定を行なうものと指定された場合には（ステップＳ２０１で「オート設定」）、上記ステップＳ２０３〜Ｓ２０７の処理に換えて、制御部３４０は記憶部３３０のテーブル保持領域に保持されている第２テーブルを参照して、いずれのカードにも割当てられていない新規のカード番号を取得する（ステップＳ２０９）。
【００８９】
そして、制御部３４０は、以上の処理で決定されたカード番号を新規のデータカードに書込むためのカード番号ファイルを生成する（ステップＳ２１１）。ステップＳ２１１で生成されるカード番号ファイルは、データカードにカード番号を記録させるためのデータであり、その後にそのデータカードが携帯電話機１０００に挿入されたときに記録媒体アクセス部３３４によって読出し可能な形式であればいかなる形式のファイルであってもよいが、サイズの小さなファイルであることが好ましく、より好ましくは、カード番号が記載されたテキストデータが挙げられる。ステップＳ２１１で生成されたカード番号ファイルは制御部３４０より記録媒体アクセス部３３４に渡され、挿入されているデータカードに書込まれて（ステップＳ２１３）、カード登録処理が終了する。
【００９０】
なお、上記情報管理処理においては、上記ステップＳ１０５で挿入されているデータカードが新規のカードであることが検出されたときに上述のカード登録処理が実行されるものとしているが、情報管理処理とは別個に、たとえば図８に示されるメニュー画面において（図示されていない）新規カードを登録する操作が選択されたときに実行されてもよい。
【００９１】
図１４は、上記ステップＳ１０９でのデータ記録処理を示すフローチャートである。
図１４を参照して、制御部３４０は、記録媒体アクセス部３３４によってデータカードから読出された情報からそのデータカードのカード番号を取得する（ステップＳ３００）。また、記憶部３３０のテーブル保持領域に保持されている第２テーブルを参照して先に設定された振分け方法を読出し、そのデータカードに記録させるデータの種類を特定する。そして、ステップＳ１０１で指定されたデータの中から、該当する種類のデータを抽出して記録媒体アクセス部３３４に渡し（ステップＳ３０１）、データカードに書込む（ステップＳ３０３）。または、振分け方法によっては、指定されたフォルダに書込む。さらに、制御部３４０は、上記第２テーブルに、データカードを特定するカード番号と、記録されたデータを特定するインデックスとの対応を書込む（ステップＳ３０５）。ここでは、データは、記憶部３３０のデータ保持領域から消去されてデータカードに書込まれてもよいし（データの移動）、記憶部３３０のデータ保持領域に残したままデータカードに書込まれてもよい（データのコピー）。また、データを移動させるかコピーさせるかをユーザ操作に応じて切替えてもよい。さらに、データを移動させるかコピーさせるかの設定は、データごとになされてもよいし、本処理について一括してなされてもよい。
【００９２】
以上のステップＳ３０１〜Ｓ３０５の処理は上記ステップＳ１０１で指定されたすべてのデータが処理されるまで繰返され、すべてのデータについて書込みが完了すると（ステップＳ３０７でＹＥＳ）、データ記録処理が終了する。
【００９３】
図１５は、以上の情報管理処理の流れを説明する図である。図１５を参照して、新規にデータカードを登録する際には、制御部３４０は、ユーザ設定またはテーブル保持領域の第２テーブルを参照して割当てるカード番号を決定し、カード番号ファイルを生成して記録媒体アクセス部３３４に渡す。そして、カード番号ファイルは記録媒体アクセス部３３４によってデータカードに書込まれる。
【００９４】
また、記憶部３３０のデータ保持領域に保持されているデータをデータカードにコピーする操作がなされると、制御部３４０はユーザ設定に応じてデータ保持領域から対象となるデータを読出す。また、データカードからカード番号を取得し、テーブル保持領域の第１テーブルおよび第２テーブルを参照して、読出された対象となるデータの中から該当するデータを抽出して記録媒体アクセス部３３４に渡し、データカードに書込む。また、データカードに記録されたデータについては、第２テーブルに、そのデータを特定するインデックスと記録されたデータカードを特定するカード番号との組合わせが書込まれる。
【００９５】
本実施の形態にかかる携帯電話機１０００において上述の情報管理処理が実行されることで、携帯電話機１０００において自動的に挿入されたデータカードが識別され、予め設定された振分け方法に従って適切にデータが記録される。これによって、ユーザは情報の記録を容易に行なうことができる。
【００９６】
また、上記ステップＳ３０５において、記録されたデータとデータカードとの対応が第２テーブルに書込まれることで、データカードに記録されたデータの一覧を表示させることができる。
【００９７】
一覧表示の第１の具体例として、図８に示されたようなメニュー画面においてデータカードに記録されたデータを確認する操作（図８では「データカード」）が選択されると、制御部３４０は、記憶部３３０のテーブル保持領域に保持されている第２テーブルを参照して書込まれているカード番号を読出し、図１６に示されるような、記録されたデータを一覧表示させるデータカードを指定するためのデータカード指定画面をメイン表示部１１０Ａなどに表示させる。さらに、その画面においてデータカードが指定されると、制御部３４０はさらに第２テーブルを参照して、指定されたカード番号と対応付けられているデータを特定する情報（インデックス）を読出し、図１７に示されるような、そのデータカードに記録されたデータのインデックスを一覧表示させるための一覧表示画面をメイン表示部１１０Ａなどに表示させる。
【００９８】
また、一覧表示の第２の具体例として、先述のように、記録された日時や作成日時や受信した日時によってデータを管理する場合には、制御部３４０は、記憶部３３０のテーブル保持領域に保持されている第２テーブルを参照して、図１８に示されるように、記録された日時や作成日時や受信した日時ごとに、記録されたデータを特定する情報（ここではデータ名）と記録されたデータカードのカード番号とを一覧表示してもよい。
【００９９】
このように一覧表示されることで、ユーザは、各データカードを携帯電話機１０００に挿入することなく記録されているデータを把握することができ、必要な情報を容易に取得することができる。
【０１００】
なお、上述の情報管理処理では記憶部３３０のデータ保持領域に保持されているデータをデータカードにコピーするものとしたが、第１のデータカード（ここではマスタカードとする）に記録されているデータを他のデータカードにコピーする処理であってもよい。その場合の情報管理処理の変形例を図１９のフローチャートに示す。
【０１０１】
図１９を参照して、この場合、図９に示された情報管理処理に先だって、マスタカードからデータを読込む処理が実行される（ステップＳ１００）。以降は、上記ステップＳ１０１〜Ｓ１０９と同様の処理が実行される。
【０１０２】
図２０は、マスタカードのデータをデータカードに記録させる場合の情報管理処理の流れを説明する図である。図２０を参照して、マスタカードのデータをデータカードにコピーする操作がなされると、制御部３４０はマスタカードからデータを読出す。マスタカードから読出されたデータは、ＲＡＭ等の一時記憶部３３２に一時的に記憶され、以降の処理に用いられる（図２０中の実線）。または、フラッシュメモリ等の記憶部３３０の媒体に一時的に記憶され、以降の処理に用いられてもよい（図２０中の点線）。または、携帯電話機１０００の本体のいずれの記憶部にも記憶されず、いわゆるＤＭＡ（Direct memory access）と言われる方法で、マスタカードに直接アクセスして以降の処理に用いられてもよい。
【０１０３】
なお、マスタカードのデータをデータカードに記録させる場合、上記第２テーブルは、記憶部３３０のテーブル保持領域に換えて、マスタカードに保持されていてもよい。この場合であっても、制御部３４０はマスタカードにアクセスするだけで第２テーブルを参照して一覧表示をさせることができる。そのため、ユーザは、各データカードを携帯電話機１０００に挿入することなく記録されているデータを把握することができ、必要な情報を容易に取得することができる。
【０１０４】
さらに、上述の情報管理処理をコンピュータに実行させるための情報管理プログラムを提供することもできる。本発明にかかる情報管理プログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０５】
なお、本発明にかかる情報管理プログラムは、コンピュータのオペレーションシステム（ＯＳ）の一部として提供されるプログラムモジュールのうち、必要なモジュールを所定の配列で所定のタイミングで呼出して情報管理処理を実行させるものであってもよい。その場合、プログラム自体には上記モジュールが含まれずＯＳと協働して情報管理処理が実行される。このようなモジュールを含まないプログラムも、本発明にかかる情報管理プログラムに含まれ得る。
【０１０６】
提供されるプログラム製品は、ハードディスクなどのプログラム格納部にインストールされて実行される。なお、プログラム製品は、プログラム自体と、プログラムが記録された記録媒体とを含む。
【０１０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０８】
【図１】携帯電話機１０００の外観の具体例を示す図である。
【図２】携帯電話機１０００の外観の具体例を示す図である。
【図３】携帯電話機１０００の外観の具体例を示す図である。
【図４】携帯電話機１０００の内部構成を示したブロック図である。
【図５】振分け方法を設定する画面の第１の具体例を示す図である。
【図６】振分け方法を設定する画面の第２の具体例を示す図である。
【図７】振分け方法を設定する画面の第３の具体例を示す図である。
【図８】メニュー画面の具体例を示す図である。
【図９】情報管理処理の流れを示すフローチャートである。
【図１０】データ指定画面の第１の具体例を示す図である。
【図１１】データ指定画面の第２の具体例を示す図である。
【図１２】カード登録処理を示すフローチャートである。
【図１３】登録画面の具体例を示す図である。
【図１４】データ記録処理を示すフローチャートである。
【図１５】情報管理処理の流れを説明する図である。
【図１６】データカード指定画面の具体例を示す図である。
【図１７】一覧表示画面の第１の具体例を示す図である。
【図１８】一覧表示画面の第２の具体例を示す図である。
【図１９】マスタカードのデータをデータカードに記録させる場合の情報管理処理の流れを示すフローチャートである。
【図２０】マスタカードのデータをデータカードに記録させる場合の情報管理処理の流れを説明する図である。
【符号の説明】
【０１０９】
５０  連結部、７０  記録媒体、１００  第１筐体、１１０Ａ  メイン表示部、１１０Ｂ  サブ表示部、１３０  サブ操作ボタン群、１３０Ａ，１３０Ｂ，１３０Ｃ，１３０Ｄ，２３４  ボタン、１４０  ＬＥＤ、１３２  サイドボタン、１３２Ａ  アップボタン、１３２Ｂ  ダウンボタン、１５０，１５２  スピーカ、１８０  記録媒体挿入部、２００  第２筐体、２３０  機能ボタン群、２３１，２３２  機能ボタン、２３３  受話ボタン、２３５  マルチガイドボタン、２４０  入力ボタン群、２６０  マイク、２７０  撮像部、２７２  発光部、３１０  通信部、３２０  チューナ、３３０  記憶部、３３２  一時記憶部、３３４  記録媒体アクセス部、３４０  制御部、３５０  音声処理部、３７０  振動部、１０００  携帯電話機。
【図１】
2007183713.tif 000003
【図２】
2007183713.tif 000004
【図３】
2007183713.tif 000005
【図４】
2007183713.tif 000006
【図５】
2007183713.tif 000007
【図６】
2007183713.tif 000008
【図７】
2007183713.tif 000009
【図８】
2007183713.tif 000010
【図９】
2007183713.tif 000011
【図１０】
2007183713.tif 000012
【図１１】
2007183713.tif 000013
【図１２】
2007183713.tif 000014
【図１３】
2007183713.tif 000015
【図１４】
2007183713.tif 000016
【図１５】
2007183713.tif 000017
【図１６】
2007183713.tif 000018
【図１７】
2007183713.tif 000019
【図１８】
2007183713.tif 000020
【図１９】
2007183713.tif 000021
【図２０】
2007183713.tif 000022